(57)【要約】【課題】  無駄な手間を生じさせることなく、所望のコンテンツを素早く受信可能な端末装置を提供する。【解決手段】  取得手段が取得した位置情報に対応する、受信手段が受信可能な１以上のコンテンツが変更された場合、１以上のコンテンツの各々の情報から構成される第２のリストを、変更された１以上のコンテンツの各々の情報に基づいて変更する。【選択図】        図８
2007074076.tif 000002
【特許請求の範囲】
【請求項１】
端末装置であって、
１以上のコンテンツを受信する受信手段と、
前記１以上のコンテンツの各々の情報から構成される第１および第２のリストを記憶する記憶手段と、
前記端末装置の位置情報を取得する取得手段と、
前記取得手段が取得した位置情報に対応する、前記受信手段が受信可能な前記１以上のコンテンツが変更された場合、前記第２のリストを、前記変更された前記１以上のコンテンツの各々の情報に基づいて変更する変更手段とを備える、端末装置。
【請求項２】
前記位置情報は、基地局の位置を示す情報である、請求項１に記載の端末装置。
【請求項３】
前記位置情報は、人口衛星から得られる位置情報である、請求項１に記載の端末装置。
【請求項４】
前記第１および第２のリストの少なくとも一方を、他の端末装置へ送信する通信手段をさらに備える、請求項１に記載の端末装置。
【請求項５】
他の端末装置から送信された前記第１および第２のリストの少なくとも一方を受信する通信手段をさらに備える、請求項１に記載の端末装置。
【発明の詳細な説明】
【技術分野】
【０００１】
本発明は、端末装置に関し、特に、ラジオ放送およびテレビ放送の少なくとも一方を受信可能な端末装置に関する。
【背景技術】
【０００２】
近年、ラジオまたはテレビの機能を備えた携帯電話等の端末装置が普及しつつある。特開平５−１８３３９３号公報（特許文献１）には、２つのチューナを使用することにより、電波が弱くなっても、音声が途切れないようにする技術（以下、従来技術Ａともいう）が開示されている。
【特許文献１】特開平５−１８３３９３号公報
【発明の開示】
【発明が解決しようとする課題】
【０００３】
しかしながら、従来技術Ａでは、ラジオ局またはテレビのチャンネルを、通常よく使用する場所（たとえば、自宅）（以下、通常使用場所ともいう）で設定しても、通常使用場所から遠く離れた場所では、ラジオ局またはテレビのチャンネルを再度設定しなければならないという問題がある。ここで、通常使用場所から遠く離れた場所とは、たとえば、通常使用場所で受信可能なラジオ局が受信不可能な場所である。
【０００４】
また、端末装置には、登録できるラジオ局またはテレビのチャンネルの数に制限があるため、移動先で多くの局を設定するには、通常使用場所で設定した局を消す必要がある。このような場合、通常使用場所に戻ると、再度、ラジオ局またはテレビのチャンネルを設定しなければならないという問題がある。
【０００５】
本発明は、上述の問題点を解決するためになされたものであって、その目的は、無駄な手間を生じさせることなく、所望のコンテンツを素早く受信可能な端末装置を提供することである。
【課題を解決するための手段】
【０００６】
上述の課題を解決するために、この発明のある局面に従う端末装置は、１以上のコンテンツを受信する受信手段と、１以上のコンテンツの各々の情報から構成される第１および第２のリストを記憶する記憶手段と、端末装置の位置情報を取得する取得手段と、取得手段が取得した位置情報に対応する、受信手段が受信可能な１以上のコンテンツが変更された場合、第２のリストを、変更された１以上のコンテンツの各々の情報に基づいて変更する変更手段とを備える。
【０００７】
好ましくは、位置情報は、基地局の位置を示す情報である。
好ましくは、位置情報は、人口衛星から得られる位置情報である。
【０００８】
好ましくは、第１および第２のリストの少なくとも一方を、他の端末装置へ送信する通信手段をさらに備える。
【０００９】
好ましくは、他の端末装置から送信された第１および第２のリストの少なくとも一方を受信する通信手段をさらに備える。
【発明の効果】
【００１０】
本発明に係る端末装置は、取得手段が取得した位置情報に対応する、受信手段が受信可能な１以上のコンテンツが変更された場合、１以上のコンテンツの各々の情報から構成される第２のリストを、変更された１以上のコンテンツの各々の情報に基づいて変更する。
【００１１】
したがって、無駄な手間を生じさせることなく、所望のコンテンツを素早く受信することができるという効果を奏する。
【発明を実施するための最良の形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
本実施の形態の端末装置は、ラジオおよびテレビの機能を備えた端末装置であるとする。なお、端末装置は、ラジオおよびテレビの両方の機能を備えている必要はなく、どちらか一方の機能を備えていればよい。
【００１４】
また、端末装置は、一例として、携帯電話機であるとする。なお、本実施の形態では、端末装置は、携帯電話機に限定されることなく、たとえば、ＰＤＡ（Personal Digital Assistance）、音楽再生装置等であってもよい。
【００１５】
図１は、開いた状態の端末装置１０００を正面から示した図である。図１を参照して、端末装置１０００は、第１の筐体１００と、第２の筐体２００とから構成される。第１の筐体１００と、第２の筐体２００とは、連結部５０により折り畳み可能なように連結される。
【００１６】
図２は、閉じた状態の端末装置１０００の斜視図である。図２を参照して、図１の開いた状態の端末装置１０００を折りたたむと、図２のような状態になる。
【００１７】
再び、図１を参照して、第１の筐体１００は、メイン表示部１１０Ａと、スピーカ１５０とを備える。メイン表示部１１０Ａは、各種情報を、文字や画像等で表示する機能を有する。メイン表示部１１０Ａは、液晶ディスプレイ（ＬＣＤ（Liquid Crystal Display））、ＦＥＤ（Field Emission Display）、有機ＥＬディスプレイ（Organic Electro luminescence Display）、ドットマトリクス等その他の画像表示方式の表示機器のいずれであってもよい。
【００１８】
スピーカ１５０は、通話の時に使用されるスピーカである。
第２の筐体２００は、メイン操作ボタン群である機能ボタン群２３０と、メイン操作ボタン群である入力ボタン群２４０と、マイク２６０とを備える。
【００１９】
機能ボタン群２３０は、端末装置１０００の各種設定、機能切替等を行なうための複数のボタンを含む。機能ボタン群２３０は、機能ボタン２３１，２３２と、受話ボタン２３３と、ボタン２３４と、マルチガイドボタン２３５とを含む。
【００２０】
機能ボタン２３１は、ユーザによる短時間（たとえば、０．５秒未満）の押下操作（以下、短押操作ともいう）によりネットワーク関連等のプログラムを起動させるためのボタンである。また、機能ボタン２３１は、ユーザによる長時間（たとえば、１秒以上）の押下操作（以下、長押操作ともいう）によりデジタルカメラのプログラムを起動させるためのボタンである。
【００２１】
機能ボタン２３２は、短押操作により電子メールのプログラムを起動させるためのボタンである。
【００２２】
なお、詳細は後述するが、端末装置１０００は、音楽モードと、ラジオモードと、テレビモードと、通常モードとを有する。音楽モードは、端末装置１０００において音楽を聴取可能なモードである。ラジオモードは、端末装置１０００においてラジオを聴取可能なモードである。テレビモードは、端末装置１０００においてテレビを視聴可能なモードである。通常モードは、端末装置１０００が音楽モード、ラジオモードおよびテレビモードのいずれでもないときのモードである。
【００２３】
機能ボタン２３２は、端末装置１０００が通常モードである場合、長押操作毎に、端末装置１０００を、音楽モード、ラジオモード、テレビモード、通常モードの順に切替えるためのボタンである。なお、モードの切替わる順序は、上記の順に限定されることなく、任意の順序でもよい。
【００２４】
受話ボタン２３３は、端末装置１０００に電話がかかってきた場合、短押操作により通話開始を行なうためのボタンである。
【００２５】
ボタン２３４は、端末装置１０００が通話中である場合、短押操作により通話を保留状態にするためのボタンである。また、ボタン２３４は、長押操作により、端末装置１０００の電源のオンとオフとの切替えを行なうためのボタンである。
【００２６】
マルチガイドボタン２３５は、４方向ボタンと、決定ボタンとを含む。４方向ボタンは、短押操作により、メイン表示部１１０Ａに画像が表示されている場合、画像内の移動させる対象となる物（たとえば、カーソル等）を上下左右に移動させるためのボタンである。決定ボタンは、短押操作により、たとえば、４方向ボタンの短押操作により選択された項目等を決定するためのボタンである。
【００２７】
入力ボタン群２４０は、短押操作により、数字、文字および記号等を入力するための複数のボタンから構成される。
【００２８】
マイク２６０は、通話の時に使用されるマイクである。
再び、図２を参照して、第２の筐体２００は、サブ表示部１１０Ｂと、サブ操作ボタン群１３０と、サイドボタン１３２と、ＬＥＤ１４０と、スピーカ１５２と、記録媒体挿入部１８０とを備える。
【００２９】
サブ表示部１１０Ｂは、各種情報を、文字や画像等で表示する機能を有する。サブ表示部１１０Ｂは、メイン表示部１１０Ａと同様の表示機器であるので詳細な説明は繰り返さない。サブ表示部１１０Ｂの解像度は、メイン表示部１１０Ａの解像度よりも低い。なお、サブ表示部１１０Ｂの解像度は、メイン表示部１１０Ａの解像度以上であってもよい。
【００３０】
サブ操作ボタン群１３０は、ボタン１３０Ａ，１３０Ｂ，１３０Ｃ，１３０Ｄを含む。ボタン１３０Ａは、端末装置１０００が音楽モードであり、かつ、音楽データが再生中の場合、短押操作により、再生中の音楽データの先頭から再生を開始させるためのボタンである。また、ボタン１３０Ａは、短押操作により、サブ表示部１１０Ｂに画像が表示されている場合、画像内の移動させる対象となる物（たとえば、カーソル等）を左に移動させるためのボタンである。
【００３１】
ボタン１３０Ｂは、端末装置１０００が、音楽モード、ラジオモード、テレビモード、通常モードおよび電源オフ状態のいずれであっても使用可能なボタンである。詳細は後述するが、ボタン１３０Ｂは、たとえば、端末装置１０００が音楽モードであり、かつ、音楽データが再生中の場合、短押操作により、音楽データの再生を一時停止させるためのボタンである。また、ボタン１３０Ｂは、たとえば、端末装置１０００が音楽モードであり、かつ、音楽データが再生されていない場合、短押操作により、音楽データの再生を開始させるためのボタンである。
【００３２】
ボタン１３０Ｃは、端末装置１０００が音楽モードであり、かつ、音楽データが再生中の場合、短押操作により、再生中の音楽データの次の音楽データの先頭から再生を開始させるためのボタンである。また、ボタン１３０Ｃは、短押操作により、サブ表示部１１０Ｂに画像が表示されている場合、画像内の移動させる対象となる物（たとえば、カーソル等）を右に移動させるためのボタンである。
【００３３】
ボタン１３０Ｄは、短押操作により、サブ表示部１１０Ｂに、たとえば、画像Ａが表示されている場合、サブ表示部１１０Ｂに、画像Ａが表示される前の画像（たとえば、画像Ｂ）を表示させるためのボタンである。
【００３４】
ＬＥＤ１４０は、端末装置１０００で行なわれる処理に応じて、光による報知を行なう。たとえば、ＬＥＤ１４０は、電話の着信があった場合、光を点滅させる。
【００３５】
スピーカ１５２は、端末装置１０００のモード対応した音声を出力する機能を有する。たとえば、端末装置１０００が音楽モードの場合、スピーカ１５２は、再生されている音楽データの音声を出力する。
【００３６】
サイドボタン１３２は、アップボタン１３２Ａと、ダウンボタン１３２Ｂとを含む。アップボタン１３２Ａは、短押操作により、端末装置１０００のモードに関わらず、端末装置１０００から出力される音声の音量を大きくするためのボタンである。また、アップボタン１３２Ａは、短押操作により、サブ表示部１１０Ｂに画像が表示されている場合、画像内の移動させる対象となる物（たとえば、カーソル等）を上に移動させるためのボタンである。
【００３７】
ダウンボタン１３２Ｂは、短押操作により、端末装置１０００のモードに関わらず、端末装置１０００から出力される音声の音量を小さくするためのボタンである。また、ダウンボタン１３２Ｂは、短押操作により、短押操作により、サブ表示部１１０Ｂに画像が表示されている場合、画像内の移動させる対象となる物（たとえば、カーソル等）を下に移動させるためのボタンである。
【００３８】
記録媒体挿入部１８０は、端末装置１０００に後述する記録媒体を挿入する部分である。
【００３９】
なお、端末装置１０００は、メイン表示部１１０Ａおよびサブ表示部１１０Ｂのいずれか一方のみを備える構成であってもよい。
【００４０】
図３は、閉じた状態の端末装置１０００の背面図である。図３を参照して、第２の筐体２００は、さらに、撮像部２７０と、発光部２７２とを備える。
【００４１】
撮像部２７０は、被写体を撮像する撮像処理を行なう。撮像部２７０は、撮像レンズと、受光部と、カラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００４２】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００４３】
撮像処理では以下の処理が行なわれる。まず、撮像部２７０が、被写体に反射されて撮像レンズに入射した光を、カラーフィルタ部を介して、受光部に入力させる。受光部は入力された光を電気信号に変換する。そして、撮像部２７０は、変換した電気信号をデジタルデータ（以下、撮像画像データともいう）に変換する。
【００４４】
発光部２７２は、撮像部２７０が撮像するときに、必要に応じて、光を発する。
図４は、端末装置１０００の内部構成を示したブロック図である。図４を参照して、端末装置１０００は、さらに、通信部３１０と、チューナ３２０と、記憶部３３０と、一時記憶部３３２と、記録媒体アクセス部３３４と、記録媒体７０と、制御部３４０と、音声処理部３５０と、振動部３７０とを備える。
【００４５】
記憶部３３０には、制御部３４０に後述する処理を行なわせるためのプログラム７２、その他各種プログラムおよびデータ等が記憶されている。プログラム７２は、たとえば、制御プログラム、画像処理プログラム、音楽再生プログラム、ラジオプログラム、テレビプログラム、電子メールプログラム、ゲームプログラム、ＷＥＢブラウザプログラム、動画再生プログラム等である。
【００４６】
音楽再生プログラムは、端末装置１０００が音楽モードの場合に実行されるプログラムである。ラジオプログラムは、端末装置１０００がラジオモードの場合に実行されるプログラムである。テレビプログラムは、端末装置１０００がテレビモードの場合に実行されるプログラムである。電子メールプログラム、ゲームプログラム、ＷＥＢブラウザプログラムおよび動画再生プログラムの各々は、端末装置１０００が通常モードの場合に実行されるプログラムである。
【００４７】
以下においては、音楽再生プログラム、ラジオプログラム、テレビプログラム、電子メールプログラム、ゲームプログラム、ＷＥＢブラウザプログラム、動画再生プログラムを、アプリケーションプログラムともいう。なお、アプリケーションプログラムは、上記プログラムのみに限定されることはない。
【００４８】
記憶部３３０は、制御部３４０によりデータアクセスされる。記憶部３３０は、電源を供給されなくてもデータを不揮発的に保持可能な媒体（たとえば、フラッシュメモリ）である。
【００４９】
制御部３４０は、記憶部３３０に記憶されたプログラム７２に従って、端末装置１０００内の各部に対する各種処理や、演算処理等を行なう機能を有する。制御部３４０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。
【００５０】
制御部３４０は、機能ボタン群２３０のうち、短押操作または長押操作があったボタンに対応するボタン信号を受信する。また、制御部３４０は、入力ボタン群２４０のうち、短押操作または長押操作があったボタンに対応するボタン信号を受信する。また、制御部３４０は、サブボタン群１３０のうち、短押操作または長押操作があったボタンに対応するボタン信号を受信する。制御部３４０は、短押操作または長押操作があったサイドボタン１３２のアップボタン１３２Ａおよびダウンボタン１３２Ｂのいずれかに対応する信号を受信する。制御部３４０は、受信したボタン信号に応じた処理を行なう。
【００５１】
通信部３１０は、無線通信により電波の送受信処理を行なう。電波は、無線通信用電波と、放送信号電波とに分類される。無線通信用電波は、音声データ、文字データおよび画像データ等を含む電波である。放送信号電波は、さらに、テレビジョン信号と、ラジオ信号とに分類される。なお、通信部３１０は、電波が放送信号電波の場合は、受信処理のみ行なう。
【００５２】
通信部３１０は、無線通信用電波により基地局と通信を行なう。通信部３１０は、無線通信用電波を受信した場合、当該無線通信用電波を復調し、復調した無線通信用電波に基づくデータを、制御部３４０へ送信する。また、通信部３１０は、無線通信用電波を送信する場合、制御部３４０からデータ（たとえば、音声データ）を受信し、当該データを、所定のプロトコルに基づいて、無線通信用電波に変換する。そして、通信部３１０は、変換した無線通信用電波を、送信先となる基地局へ送信する。
【００５３】
通信部３１０は、基地局と通信を行なうことで、基地局の位置を示す情報（以下、基地局位置情報ともいう）も取得可能である。通信部３１０は、制御部３４０からの制御指示に応じて、取得した基地局位置情報を、制御部３４０へ送信する。制御部３４０は、受信した基地局位置情報に基づいて、端末装置１０００の位置を大まかに把握することができる。
【００５４】
また、通信部３１０は、ＧＰＳ（Global Positioning System）機能を有する。ＧＰＳ（Global Positioning System）機能とは、人口衛星と通信して、端末装置１０００の位置（緯度、経度、高度等に基づく位置）の情報（以下、ＧＰＳ位置情報ともいう）を取得する機能である。通信部３１０は、制御部３４０からの制御指示に応じて、ＧＰＳ位置情報を取得し、制御部３４０へ送信する。
【００５５】
また、通信部３１０は、無線データ通信機能を有する。無線データ通信機能は、ブルートゥース（Bluetooth）を使用して、無線でデータ通信を行なう機能である。通信部３１０は、制御部３４０からの制御指示に応じて、他の端末と無線でデータ通信を行なう。なお、無線データ通信は、ブルートゥースに限定されることなく、他の通信方式を使用してもよい。
【００５６】
また、通信部３１０は、テレビジョン信号である放送信号電波を受信した場合、放送信号電波を、チューナ３２０へ送信する。チューナ３２０は、テレビジョン信号である放送信号電波を受信した場合、制御部３４０により指示された、チャンネルの信号をデジタルデータ（以下、テレビジョンデータともいう）に変換して、制御部３４０へ送信する。変換されたテレビジョンデータには、画像データと、音声データとが含まれる。
【００５７】
制御部３４０は、端末装置１０００がテレビモードである場合、テレビジョンデータを受信し、メイン表示部１１０Ａに、テレビジョンデータに基づく画像を表示させる。同時に、制御部３４０は、スピーカ１５２から、テレビジョンデータに基づく音声を出力させる。
【００５８】
また、通信部３１０は、ラジオ信号である放送信号電波を受信した場合、放送信号電波を、チューナ３２０へ送信する。チューナ３２０は、ラジオの信号である放送信号電波を受信した場合、制御部３４０により指示された、周波数のラジオ局の音声信号をデジタルデータ（以下、ラジオデータともいう）に変換して、制御部３４０へ送信する。変換されたラジオデータには、音声データが含まれる。なお、テレビジョンデータおよびラジオデータは、コンテンツデータである。
【００５９】
制御部３４０は、端末装置１０００がラジオモードである場合、ラジオデータを受信し、スピーカ１５２から、ラジオデータに基づく音声を出力させる。
【００６０】
なお、端末装置１０００は、ラジオ局のオートスキャンおよびテレビチャンネルのオートスキャンを行なう機能を有する。ラジオ局のオートスキャンは、基地局位置情報またはＧＰＳ位置情報に基づく位置において、制御部３４０が、受信可能な複数のラジオ局を自動で設定する処理である。
【００６１】
具体的には、制御部３４０が、所定の周波数ずつ変化させた周波数の情報をチューナ３２０へ、所定の時間（たとえば、２秒）間隔で、順次、送信する。チューナ３４０は、周波数の情報を受信する毎に、周波数の情報に基づいたラジオデータを制御部３４０へ送信する。制御部３４０は、順次受信するラジオデータに基づく音声のノイズのレベルが所定レベル以下であれば、対応するラジオデータの周波数を記憶部３３０に記憶させる。以上の処理が繰り返されることにより、複数のラジオ局の周波数の情報が自動で記憶（登録）される。
【００６２】
また、テレビチャンネルのオートスキャンは、基地局位置情報またはＧＰＳ位置情報に基づく位置において、制御部３４０が、受信可能な複数のテレビのチャンネルを自動で設定する処理である。複数のテレビのチャンネルを自動で設定する処理は、前述のラジオ局を自動で登録する処理と同様なので詳細な説明は繰り返さない。
【００６３】
一時記憶部３３２は、データを一時的に記憶する機能を有する。一時記憶部３３２は、画像処理部１００および制御部１２０によってデータアクセスされ、ワークメモリとして動作する。一時記憶部３３２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００６４】
記録媒体７０には、前述したプログラム７２、コンテンツデータ等が記録されている。コンテンツデータは、たとえば、音楽データ、動画像データ等である。記録媒体７０が、前述の記録媒体挿入部１８０から端末装置１０００に挿入（装着）されると、記録媒体アクセス部３３４は、記録媒体７０にデータアクセス可能となる。
【００６５】
記録媒体アクセス部３３４は、プログラム７２が記録された記録媒体７０から、制御部３４０の制御指示に応じて、プログラム７２を読出す機能を有する。記録媒体７０に記憶されているプログラム７２は、制御部３４０のインストール処理により、記録媒体アクセス部３３４で読み出され、記憶部３３０に記憶される。
【００６６】
このインストール処理用プログラムは、予め、記憶部３３０に格納されており、インストール処理は、制御部３４０が、インストール処理用プログラムに基づいて行なう。
【００６７】
なお、記憶部３３０には、プログラム７２が記憶されていなくてもよい。この場合、制御部３４０は、記録媒体アクセス部３３４を介して、記録媒体７０に記憶されたプログラム７２を読み出して、プログラム７２に基づいた所定の処理を行なう。
【００６８】
また、通信部３１０を利用して、基地局またはインターネットなどの外部のネットワークから、プログラムのダウンロード処理を行ない、記憶部３３０に格納することもできる。この場合、当該ダウンロードしたプログラムは、プログラム７２である。
【００６９】
制御部３４０は、基地局またはインターネットなどの外部のネットワークからダウンロードしたプログラム（プログラム７２）に従って、所定の処理を行なう。このダウンロード用プログラムは、予め、記憶部３３０に格納されており、ダウンロード処理は、制御部３４０が、ダウンロード用プログラムに基づいて行なう。
【００７０】
記録媒体７０は、端末装置１０００から着脱可能な媒体である。すなわち、記録媒体７０に記録されているプログラム７２は、媒体等に記録されてプログラム製品として流通される。また、記録媒体７０もプログラム製品として流通される。
【００７１】
記録媒体７０は、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、その他不揮発性メモリのいずれであってもよい。
【００７２】
このように、端末装置１０００から着脱可能な記録媒体を使用することにより、ユーザが設定したデータ、プログラム、その他各種データを、他の端末装置に移送することができる。
【００７３】
音声処理部３５０は、デジタルデータである音声データ（以下、デジタル音声データともいう）をアナログ信号に変換する処理および音声データを含むアナログ信号（以下、アナログ音声信号ともいう）をデジタル音声データに変換する処理等を行なう。
【００７４】
制御部３４０が、デジタル音声データを音声処理部３５０へ送信すると、音声処理部３５０は受信したデジタル音声データをアナログ音声信号に変換する。そして、音声処理部３５０は変換したアナログ音声信号を制御部３４０により指示されたスピーカから出力させる。
【００７５】
また、ユーザがマイク２６０に対して音声を発すると、当該音声に応じたアナログ音声信号が、音声処理部３５０へ送信される。音声処理部３５０は、マイク２６０から、アナログ音声信号を受信すると、受信したアナログ音声信号をデジタル音声データに変換して、制御部３４０へ送信する。
【００７６】
また、制御部３４０は、ユーザがマイク２６０に対して発した言葉からなる音声をボイスデータとして、記憶部３３０に登録する機能を有する。そして、ユーザが、記憶部３３０に登録されたボイスデータに基づく音声と同等な言葉からなる音声を、マイク２６０を使用して入力させることで、制御部３４０は、ボイスデータに対応した処理を行なう。記憶部３３０に登録されているボイスデータは、たとえば、「メール」という言葉からなる音声であるとする。この場合、制御部３４０は、「メール」という言葉からなる音声が、マイク２６０から入力されると、たとえば、電子メールのプログラムを起動させる。
【００７７】
メイン表示部１１０Ａは、制御部３４０から送信された画像データを受信すると、受信した画像データに基づく画像を表示する。サブ表示部１１０Ｂは、制御部３４０から送信された画像データを受信すると、受信した画像データに基づく画像を表示する。
【００７８】
ＬＥＤ１４０は、制御部３４０からの制御指示に基づいて、光を発する。
撮像部２７０は、制御部３４０からの制御指示に基づいて、前述の撮像処理を行い、撮像画像データを制御部３４０へ送信する。制御部３４０は、撮像画像データを受信すると、撮像画像データを、記憶部３３０または記録媒体７０に記憶させる。
【００７９】
振動部３７０は、制御部３４０からの制御指示に基づいて、端末装置１０００を振動させる機能を有する。振動部３７０は、たとえば、電話の着信、電子メールの受信時に、制御部３４０からの制御指示に基づいて、端末装置１０００を振動させる。
【００８０】
次に、制御部３４０が、前述のアプリケーションプログラムに基づいて行なう処理（以下、アプリケーション処理ともいう）の具体的な処理内容について説明する。
【００８１】
アプリケーション処理に基づく画像は、端末装置１０００が図１の状態の場合、メイン表示部１１０Ａに表示される。アプリケーション処理に基づく画像は、端末装置１０００が図２の状態の場合、サブ表示部１１０Ｂに表示される。
【００８２】
アプリケーションプログラムが、音楽再生プログラムの場合、アプリケーション処理では、たとえば、ユーザのボタン操作に応じて、音楽データの再生処理および停止処理、音楽データのリスト表示処理等が行なわれる。
【００８３】
アプリケーションプログラムが、ラジオプログラムの場合、アプリケーション処理では、たとえば、ユーザのボタン操作に応じて、選局されたラジオ局の音声がスピーカ１５２から出力される。
【００８４】
アプリケーションプログラムが、テレビプログラムの場合、アプリケーション処理では、たとえば、ユーザのボタン操作に応じて、選局されたチャンネルの画像が、メイン表示部１１０Ａに表示される。また、同時に、選局されたチャンネルの音声がスピーカ１５２から出力される。
【００８５】
アプリケーションプログラムが、電子メールプログラムの場合、アプリケーション処理では、たとえば、ユーザのボタン操作に応じて、電子メールの受信処理、電子メールの作成処理、電子メールの送信処理、電子メールの閲覧処理等が行なわれる。
【００８６】
アプリケーションプログラムが、ゲームプログラムの場合、アプリケーション処理では、たとえば、ユーザのボタン操作に応じて、ゲームが実行される。アプリケーションプログラムが、ＷＥＢブラウザプログラムの場合、アプリケーション処理では、たとえば、ユーザのボタン操作に応じて、ＷＥＢサイトにアクセスし、ＷＥＢページがメイン表示部１１０Ａに表示される。
【００８７】
アプリケーションプログラムが、動画再生プログラムの場合、アプリケーション処理では、たとえば、ユーザのボタン操作に応じて、動画像（たとえば、ＭＰＥＧ２形式の動画像）ファイルに基づく動画が、表示部１１０Ａに表示される。
【００８８】
次に、端末装置１０００に登録可能なラジオ局のリストについて説明する。本実施の形態では、端末装置１０００の記憶部３３０は、複数のラジオ局のリストのデータを記憶する。以下においては、ラジオ局のリストを、ラジオ局リストともいう。
【００８９】
図５は、複数のラジオ局リストを示す図である。図５を参照して、本実施の形態では、１つのラジオ局リストのデータにつき、１２個のラジオ局データを登録可能である。ラジオ局データは、ラジオ局の名称と、周波数（たとえば、７２．２Ｍｈｚ）の情報とを含むデータである。図５では、一例として、ラジオ局の名称のみを示している。なお、１つのラジオ局リストを構成するデータの数は、１２個に限定されることなく、１３個以上であってもよい。なお、ラジオ局リストは、インターネットを利用してインターネットラジオを配信するＷＥＢページのアドレスのリストであってもよい。この場合、ラジオ局データは、ＷＥＢページのアドレスのデータとなる。なお、インターネットラジオにより受信した音声データは、コンテンツデータである。
【００９０】
複数のラジオ局リストは、それぞれ、リスト１、リスト２、自動変更リストである。なお、記憶部３３０に記憶されるラジオ局リストの数は、３つに限定されることなく４つ以上であってもよい。
【００９１】
リスト１およびリスト２の各々は、ユーザが自由に用途を変更可能なリストである。また、リスト１およびリスト２の各々は、ユーザの機能ボタン群２３０および入力ボタン群２４０の操作により、自由に編集可能なリストである。たとえば、ユーザは、登録番号ｎに、周波数Ｋ（整数）Ｍｈｚのラジオ局を登録することができる。また、登録したラジオ局の名称も自由に編集可能である。
【００９２】
リスト１は、たとえは、ユーザが通常使用するリストである。リスト２は、たとえば、ユーザが移動先で使用するリストである。また、リスト１およびリスト２の各々には、前述のラジオ局のオートスキャンの実行により、受信可能な複数のラジオ局が自動で設定されてもよい。自動変更リストは、端末装置１０００の位置により受信可能なラジオ局データが自動で登録されるリストである。
【００９３】
図６は、端末装置１０００が使用するラジオ局リストを設定する際に、メイン表示部１１０Ａに表示される画像を示す図である。図６を参照して、リスト選択画像Ｇ１１０は、端末装置１０００が使用するラジオ局リストを選択するための画像である。リスト選択画像Ｇ１１０には、一例として、「リスト１」の文字列と、「リスト２」の文字列と、「自動変更リスト」の文字列とが表示される。なお、リスト選択画像Ｇ１１０は、マルチガイドボタン２３５の４方向ボタンの短押操作により「リスト１」が選択されている状態を示す画像である。
【００９４】
メイン表示部１１０Ａにリスト選択画像Ｇ１１０が表示されているときに、マルチガイドボタン２３５の決定ボタンの短押操作があると、制御部３４０は、メイン表示部１１０Ａに確認画像Ｇ１１２を表示する。確認画像Ｇ１１２は、端末装置１０００が使用するラジオ局リストをリスト１に設定することを確認するための画像である。
【００９５】
メイン表示部１１０Ａに確認画像Ｇ１１２が表示されているときに、マルチガイドボタン２３５の決定ボタンの短押操作があると、制御部３４０は、端末装置１０００が使用するラジオ局リストをリスト１に設定する。
【００９６】
そして、制御部３４０は、記憶部３３０に記憶されている、図５のリスト１に対応するラジオ局リストのデータに基づいて、リスト表示画像Ａを生成する。そして、制御部３４０は、メイン表示部１１０Ａにリスト表示画像Ｇ１１４を表示する。リスト表示画像Ｇ１１４は、生成されたリスト表示画像Ａの一部を表示した画像である。なお、マルチガイドボタン２３５の４方向ボタンの短押操作により、メイン表示部１１０Ａに、リスト表示画像Ａのうちの、リスト表示画像Ｇ１１４に表示されていない部分を表示可能である。
【００９７】
メイン表示部１１０Ａにリスト選択画像Ｇ１１０が表示されているときに、マルチガイドボタン２３５の４方向ボタンの短押操作により、「リスト２」が選択されると、制御部３４０は、メイン表示部１１０Ａにリスト選択画像Ｇ１１０Ａを表示する。
【００９８】
メイン表示部１１０Ａにリスト選択画像Ｇ１１０Ａが表示されているときに、マルチガイドボタン２３５の決定ボタンの短押操作があると、制御部３４０は、メイン表示部１１０Ａに確認画像Ｇ１１２Ａを表示する。確認画像Ｇ１１２Ａは、端末装置１０００が使用するラジオ局リストをリスト２に設定することを確認するための画像である。
【００９９】
メイン表示部１１０Ａに確認画像Ｇ１１２Ａが表示されているときに、マルチガイドボタン２３５の決定ボタンの短押操作があると、制御部３４０は、端末装置１０００が使用するラジオ局リストをリスト２に設定する。そして、制御部３４０は、記憶部３３０に記憶されている、図５のリスト２に対応するラジオ局リストのデータに基づいて、リスト表示画像Ｂを生成する。そして、制御部３４０は、メイン表示部１１０Ａにリスト表示画像Ｇ１１４Ａを表示する。リスト表示画像Ｇ１１４Ａは、生成されたリスト表示画像Ｂの一部を表示した画像である。なお、マルチガイドボタン２３５の４方向ボタンの短押操作により、メイン表示部１１０Ａに、リスト表示画像Ｂのうちの、リスト表示画像Ｇ１１４Ａに表示されていない部分を表示可能である。
【０１００】
図７は、端末装置１０００が使用するラジオ局リストを設定する際に、メイン表示部１１０Ａに表示される画像を示す図である。図７を参照して、メイン表示部１１０Ａに図６のリスト選択画像Ｇ１１０Ａが表示されているときに、マルチガイドボタン２３５の４方向ボタンの短押操作により、「自動変更リスト」が選択されると、制御部３４０は、メイン表示部１１０Ａに、リスト選択画像Ｇ１１０Ｂを表示する。
【０１０１】
メイン表示部１１０Ａにリスト選択画像Ｇ１１０Ｂが表示されているときに、マルチガイドボタン２３５の決定ボタンの短押操作があると、制御部３４０は、メイン表示部１１０Ａに確認画像Ｇ１１２Ｂを表示する。確認画像Ｇ１１２Ｂは、端末装置１０００が使用するラジオ局リストを自動変更リストに設定することを確認するための画像である。
【０１０２】
メイン表示部１１０Ａに確認画像Ｇ１１２Ｂが表示されているときに、マルチガイドボタン２３５の決定ボタンの短押操作があると、制御部３４０は、端末装置１０００が使用するラジオ局リストを自動変更リストに設定する。そして、制御部３４０は、記憶部３３０に記憶されている、図５の自動変更リストに対応するラジオ局リストのデータに基づいて、リスト表示画像Ｃを生成する。なお、ラジオ局リストのデータにラジオ局の名称が含まれない場合、リスト表示画像Ｃは、ラジオ局の名称の代わりに、ラジオ局の周波数の情報を表示した画像であってもよい。
【０１０３】
そして、制御部３４０は、メイン表示部１１０Ａにリスト表示画像Ｇ１１４Ｂを表示する。リスト表示画像Ｇ１１４Ｂは、生成されたリスト表示画像Ｃの一部を表示した画像である。なお、マルチガイドボタン２３５の４方向ボタンの短押操作により、メイン表示部１１０Ａに、リスト表示画像Ｃのうちの、リスト表示画像Ｇ１１４Ｂに表示されていない部分を表示可能である。
【０１０４】
なお、端末装置１０００が使用するラジオ局リストが、リスト１、リスト２および自動変更リストのいずれかに設定され、端末装置１０００がラジオモードの場合、入力ボタン群２３０の数字（たとえば、“２”）を入力するためのボタンの短押操作があると、制御部３４０は、対応する数字に登録されたラジオ局の音声を、スピーカ１５２から出力させる。
【０１０５】
次に、自動変更リストにラジオ局データが自動で登録される処理（以下、ラジオ局自動登録処理ともいう）について説明する。
【０１０６】
図８は、ラジオ局自動登録処理のフローチャートを示す。図８を参照して、ステップＳ１１０では、端末装置１０００の位置情報の取得が行なわれる。ここで、取得される位置情報は、基地局位置情報およびＧＰＳ位置情報のいずれであってもよい。制御部３４０は、通信部３１０へ、位置情報を取得するための制御指示を送信することで、端末装置１０００の位置情報を通信部３１０から取得する。その後、ステップＳ１１２に進む。
【０１０７】
ステップＳ１１２では、位置情報が記憶されているか否かが判定される。具体的には、制御部３４０が、一時記憶部３３２に位置情報が記憶されているか否かを判定する。ステップＳ１１２において、ＹＥＳならば、後述するステップＳ１１４に進む。一方、ステップＳ１１２において、ＮＯならば、ステップＳ１９０に進む。
【０１０８】
ステップＳ１１２の処理が初めて行なわれるときは、一時記憶部３３２には、位置情報が記憶されていないので、ステップＳ１９０に進む。
【０１０９】
ステップＳ１９０では、制御部３４０が、取得した位置情報を、一時記憶部３３２に記憶させる。なお、既に、一時記憶部３３２に位置情報が記憶されている場合、制御部３４０は、既に記憶されている位置情報を、取得した最新の位置情報で上書き記憶する。すなわち、一時記憶部３３２には、常に最新の位置情報が記憶されることになる。その後、再度、ステップＳ１１０の処理が行なわれる。
【０１１０】
ステップＳ１１０では、前述した処理が行なわれる。その後、ステップＳ１１２に進む。
【０１１１】
ステップＳ１１２では、前述した処理が行なわれる。この時点では、一時記憶部３３２に位置情報が記憶されている。したがって、ステップＳ１１２の処理で、ＹＥＳと判定されて、ステップＳ１１４に進む。
【０１１２】
ステップＳ１１４では、受信可能なラジオ局の変更があるか否かが判定される。以下においては、一時記憶部３３２に記憶されている位置情報を、過去位置情報ともいう。また、ステップＳ１１０で取得した位置情報を現在位置情報ともいう。なお、記憶部３３０には、複数種類の地域の情報が予め記憶されている。複数種類の地域の各々では、受信可能なラジオ局が異なる。
【０１１３】
具体的には、制御部３４０が、複数種類の地域の情報を参照して、過去位置情報に基づく端末装置１０００の位置を含む地域と、現在位置情報に基づく端末装置１０００の位置を含む地域とが、異なるか否かを判定する。ステップＳ１１４において、ＹＥＳならば、ステップＳ１１５に進む。一方、ステップＳ１１４において、ＮＯならば、前述のステップＳ１９０に進む。
【０１１４】
ステップＳ１１５では、現在位置情報に対応する、前述したラジオ局データがあるか否かが判定される。なお、記憶部３３０には、さらに、前述の複数種類の地域の各々に対応づけて、対応する地域で受信可能な複数のラジオ局の情報が記憶される。ここで、ラジオ局の情報とは、前述したラジオ局データである。前述したように、ラジオ局データは、ラジオ局の名称と、周波数の情報とを含むデータである。なお、受信可能な複数のラジオ局の情報がない地域もある。この場合、当該地域に対応する複数のラジオ局の情報は、記憶部３３０には記憶されていない。
【０１１５】
具体的には、制御部３４０は、現在位置情報に基づく位置を含む地域に対応する複数のラジオ局データが、記憶部３３０に記憶されているか否かを判定する。ステップＳ１１５において、ＹＥＳならば、後述するステップＳ１３０に進む。一方、ステップＳ１１５において、ＮＯならば、ステップＳ１２０に進む。
【０１１６】
ステップＳ１２０では、前述のラジオ局のオートスキャンが実行される。この処理により、複数のラジオ局データが自動で記憶部３３０に記憶される。この場合、ラジオ局データは、ラジオ局の周波数の情報のデータとなる。その後、ステップＳ１２２に進む。
【０１１７】
ステップＳ１２２では、制御部３４０が、ステップＳ１２０により記憶部３３０に記憶された複数のラジオ局データを使用して、図５の自動変更リストにラジオ局データを登録する。なお、既に、自動変更リストにラジオ局データが登録されている場合は、制御部３４０が、ステップＳ１２０により記憶部３３０に記憶された複数のラジオ局データを使用して、自動変更リストを変更する。
【０１１８】
その結果、自動変更リストのデータは、ステップＳ１２０により記憶部３３０に記憶された複数のラジオ局データから構成されるデータとなる。その後、ステップＳ１９０に進む。
【０１１９】
前述のステップＳ１１５において、ＹＥＳならば、ステップＳ１３０に進む。  ステップＳ１３０では、ラジオ局設定処理が実行される。ラジオ局設定処理では、制御部３４０が、現在位置情報に基づく位置を含む地域に対応する複数のラジオ局データを、記憶部３３０から読み出す。その後、ステップＳ１３２に進む。
【０１２０】
ステップＳ１３２では、制御部３４０が、ステップＳ１３０で読み出された複数のラジオ局データを使用して、図５の自動変更リストにラジオ局データを登録する。なお、既に、自動変更リストにラジオ局データが登録されている場合は、制御部３４０が、ステップＳ１３０で読み出された複数のラジオ局データを使用して、図５の自動変更リストを変更する。その結果、自動変更リストのデータは、ステップＳ１３０で読み出された複数のラジオ局データから構成されるデータとなる。その後、ステップＳ１９０に進む。
【０１２１】
以上の処理により、ユーザがわざわざラジオ局を設定する操作をしなくても、端末装置１０００は、自動変更リストにラジオ局データを自動で登録する処理または自動変更リストのラジオ局データを自動で変更する処理を行なう。また、自動変更リストのデータは、リスト１のデータおよびリスト２のデータとは別個に設けられたデータである。そのため、ユーザが、たとえば、リスト１のデータを設定した場合でも、リスト１のデータは勝手に変更されることはない。すなわち、再度、リスト１のデータを設定するという無駄な手間は生じない。
【０１２２】
また、端末装置１０００が使用するラジオ局リストが、自動変更リストに設定され、端末装置１０００がラジオモードの場合、入力ボタン群２３０の数字を入力するためのボタンの短押操作があるだけで、制御部３４０は、対応する数字に設定されたラジオ局の音声を、スピーカ１５２から出力させる。
【０１２３】
以上により、本実施の形態における端末装置１０００は、無駄な手間を生じさせることなく、ユーザが所望するラジオ放送（コンテンツ）を素早く受信することができるという効果を奏する。
【０１２４】
なお、リスト１、リスト２および自動変更リストの少なくとも１つのデータは、他のユーザが使用する端末装置に簡単に送信することができる。以下においては、リストデータを送信する処理を、リストデータ送信処理ともいう。
【０１２５】
図９は、リストデータ送信処理のフローチャートである。図９を参照して、ステップＳ２００では、制御部３４０が、リストデータ送信操作に応じて、他の端末にリスト１、リスト２および自動変更リストの少なくとも１つのデータを通信部３１０から送信する。
【０１２６】
リストデータ送信操作とは、機能ボタン群２３０および入力ボタン群２４０のユーザによる操作により、メイン表示部１１０Ａにリストデータを送信するための画像を表示させ、リストデータを送信する処理を、制御部３４０に行なわせるための操作である。リストデータは、端末装置１０００の無線データ通信機能を使用して、同じ方式の無線データ通信機能を有する他の端末へ送信される。以上により、このリストデータ送信処理は終了する。
【０１２７】
なお、他の端末へラジオ局リストのデータを送信するのは、上記処理に限定されることはない。たとえば、ラジオ局リストのデータを添付した電子メールを使用することで、他の端末に送信してもよい。また、記録媒体７０にラジオ局リストのデータをコピーして、他の端末で、記録媒体７０に記録されたラジオ局リストのデータを読み出すようにしてもよい。
【０１２８】
なお、他の端末が、前述のリストデータ送信処理を行なうことが可能であれば、端末装置１０００は、他の端末が送信したラジオ局リストのデータを受信可能である。他の端末が送信したラジオ局リストのデータは、リスト１、リスト２および自動変更リストの少なくとも１つのデータであるとする。以下においては、リストデータを受信する処理を、リストデータ受信処理ともいう。
【０１２９】
図１０は、リストデータ受信処理のフローチャートである。図１０を参照して、ステップＳ２００Ａでは、制御部３４０が、リストデータ受信操作に応じて、他の端末が送信したリストデータを通信部３１０から受信する。リストデータ受信操作とは、機能ボタン群２３０および入力ボタン群２４０のユーザによる操作により、メイン表示部１１０Ａにリストデータを受信するための画像を表示させ、リストデータを受信する処理を、制御部３４０に行なわせるための操作である。他の端末から送信されたリストデータは、端末装置１０００の無線データ通信機能を使用して、通信部３１０により受信される。以上により、このリストデータ受信処理は終了する。
【０１３０】
なお、他の端末からラジオ局リストのデータを受信するのは、上記処理に限定されることはない。たとえば、他の端末がラジオ局リストのデータを添付した電子メールを受信してもよい。また、他の端末が、記録媒体７０にラジオ局リストのデータをコピーして、端末装置１０００で、記録媒体７０に記録されたラジオ局リストのデータを読み出すようにしてもよい。
【０１３１】
以上のリストデータ送信処理およびリストデータ受信処理により、たとえば、自分で作成したお勧めのラジオ局リストのデータを、簡単に、友人等にあげることができる。また、逆に、友人が作成したお勧めのラジオ局リストのデータを、簡単に、もらうこともできる。すなわち、ラジオ局リストのデータの交換を簡単に行なうことができる。
【０１３２】
次に、端末装置１０００に登録可能なテレビチャンネルのリストについて説明する。本実施の形態では、端末装置１０００の記憶部３３０は、複数のテレビチャンネルのリストのデータを記憶する。以下においては、テレビチャンネルのリストを、テレビチャンネルリストともいう。
【０１３３】
図１１は、複数のテレビチャンネルリストを示す図である。図１１を参照して、本実施の形態では、１つのテレビチャンネルリストのデータにつき、１２個のテレビチャンネルデータを登録可能である。テレビチャンネルデータは、テレビチャンネルの番号と、周波数の情報とを含むデータである。図１１では、一例として、テレビチャンネルの番号のみを示している。なお、１つのテレビチャンネルリストを構成するデータの数は、１２個に限定されることなく、１３個以上であってもよい。なお、テレビチャンネルリストは、インターネットを利用してインターネットテレビを配信するＷＥＢページのアドレスのリストであってもよい。この場合、テレビチャンネルデータは、ＷＥＢページのアドレスのデータとなる。なお、インターネットテレビにより受信した画像および音声のデータは、コンテンツデータである。
【０１３４】
複数のテレビチャンネルリストは、それぞれ、リスト１Ａ、リスト２Ａ、自動変更リストＡである。なお、記憶部３３０に記憶されるテレビチャンネルリストの数は、３つに限定されることなく４つ以上であってもよい。
【０１３５】
リスト１Ａおよびリスト２Ａの各々は、ユーザが自由に用途を変更可能なリストである。また、リスト１Ａおよびリスト２Ａの各々は、ユーザの機能ボタン群２３０および入力ボタン群２４０の操作により、自由に編集可能なリストである。
【０１３６】
リスト１Ａは、たとえは、ユーザが通常使用するリストである。リスト２Ａは、たとえば、ユーザが移動先で使用するリストである。また、リスト１Ａおよびリスト２Ａの各々には、前述のテレビチャンネルのオートスキャンの実行により、受信可能な複数のテレビチャンネルが自動で設定されてもよい。自動変更リストＡは、端末装置１０００の位置により受信可能なテレビチャンネルデータが自動で登録されるリストである。
【０１３７】
図１２は、端末装置１０００が使用するテレビチャンネルリストを設定する際に、メイン表示部１１０Ａに表示される画像を示す図である。図１２を参照して、リスト選択画像Ｇ２１０は、端末装置１０００が使用するテレビチャンネルリストを選択するための画像である。リスト選択画像Ｇ２１０には、一例として、「リスト１Ａ」の文字列と、「リスト２Ａ」の文字列と、「自動変更リストＡ」の文字列とが表示される。なお、リスト選択画像Ｇ２１０は、マルチガイドボタン２３５の４方向ボタンの短押操作により「リスト１Ａ」が選択されている状態を示す画像である。
【０１３８】
メイン表示部１１０Ａにリスト選択画像Ｇ２１０が表示されているときに、マルチガイドボタン２３５の決定ボタンの短押操作があると、制御部３４０は、メイン表示部１１０Ａに確認画像Ｇ２１２を表示する。確認画像Ｇ２１２は、端末装置１０００が使用するテレビチャンネルリストをリスト１Ａに設定することを確認するための画像である。
【０１３９】
メイン表示部１１０Ａに確認画像Ｇ２１２が表示されているときに、マルチガイドボタン２３５の決定ボタンの短押操作があると、制御部３４０は、端末装置１０００が使用するテレビチャンネルリストをリスト１Ａに設定する。
【０１４０】
そして、制御部３４０は、記憶部３３０に記憶されている、図１１のリスト１Ａに対応するテレビチャンネルリストのデータに基づいて、リスト表示画像Ｌを生成する。そして、制御部３４０は、メイン表示部１１０Ａにリスト表示画像Ｇ２１４を表示する。リスト表示画像Ｇ２１４は、生成されたリスト表示画像Ｌの一部を表示した画像である。なお、マルチガイドボタン２３５の４方向ボタンの短押操作により、メイン表示部１１０Ａに、リスト表示画像Ｌのうちの、リスト表示画像Ｇ２１４に表示されていない部分を表示可能である。
【０１４１】
メイン表示部１１０Ａにリスト選択画像Ｇ２１０が表示されているときに、マルチガイドボタン２３５の４方向ボタンの短押操作により、「リスト２Ａ」が選択されると、制御部３４０は、メイン表示部１１０Ａにリスト選択画像Ｇ２１０Ａを表示する。
【０１４２】
メイン表示部１１０Ａにリスト選択画像Ｇ２１０Ａが表示されているときに、マルチガイドボタン２３５の決定ボタンの短押操作があると、制御部３４０は、メイン表示部１１０Ａに確認画像Ｇ２１２Ａを表示する。確認画像Ｇ２１２Ａは、端末装置１０００が使用するテレビチャンネルリストをリスト２Ａに設定することを確認するための画像である。
【０１４３】
メイン表示部１１０Ａに確認画像Ｇ２１２Ａが表示されているときに、マルチガイドボタン２３５の決定ボタンの短押操作があると、制御部３４０は、端末装置１０００が使用するテレビチャンネルリストをリスト２Ａに設定する。そして、制御部３４０は、記憶部３３０に記憶されている、図１１のリスト２Ａに対応するテレビチャンネルリストのデータに基づいて、リスト表示画像Ｍを生成する。そして、制御部３４０は、メイン表示部１１０Ａにリスト表示画像Ｇ２１４Ａを表示する。リスト表示画像Ｇ２１４Ａは、生成されたリスト表示画像Ｍの一部を表示した画像である。なお、マルチガイドボタン２３５の４方向ボタンの短押操作により、メイン表示部１１０Ａに、リスト表示画像Ｍのうちの、リスト表示画像Ｇ２１４Ａに表示されていない部分を表示可能である。
【０１４４】
図１３は、端末装置１０００が使用するテレビチャンネルリストを設定する際に、メイン表示部１１０Ａに表示される画像を示す図である。図１３を参照して、メイン表示部１１０Ａに図１２のリスト選択画像Ｇ２１０Ａが表示されているときに、マルチガイドボタン２３５の４方向ボタンの短押操作により、「自動変更リストＡ」が選択されると、制御部３４０は、メイン表示部１１０Ａに、リスト選択画像Ｇ２１０Ｂを表示する。
【０１４５】
メイン表示部１１０Ａにリスト選択画像Ｇ２１０Ｂが表示されているときに、マルチガイドボタン２３５の決定ボタンの短押操作があると、制御部３４０は、メイン表示部１１０Ａに確認画像Ｇ２１２Ｂを表示する。確認画像Ｇ２１２Ｂは、端末装置１０００が使用するテレビチャンネルリストを自動変更リストＡに設定することを確認するための画像である。
【０１４６】
メイン表示部１１０Ａに確認画像Ｇ２１２Ｂが表示されているときに、マルチガイドボタン２３５の決定ボタンの短押操作があると、制御部３４０は、端末装置１０００が使用するテレビチャンネルリストを自動変更リストＡに設定する。そして、制御部３４０は、記憶部３３０に記憶されている、図１１の自動変更リストＡに対応するテレビチャンネルリストのデータに基づいて、リスト表示画像Ｎを生成する。
【０１４７】
そして、制御部３４０は、メイン表示部１１０Ａにリスト表示画像Ｇ２１４Ｂを表示する。リスト表示画像Ｇ２１４Ｂは、生成されたリスト表示画像Ｎの一部を表示した画像である。なお、マルチガイドボタン２３５の４方向ボタンの短押操作により、メイン表示部１１０Ａに、リスト表示画像Ｎのうちの、リスト表示画像Ｇ２１４Ｂに表示されていない部分を表示可能である。
【０１４８】
なお、端末装置１０００が使用するテレビチャンネルリストが、リスト１Ａ、リスト２Ａおよび自動変更リストＡのいずれかに設定され、端末装置１０００がテレビモードの場合、入力ボタン群２３０の数字（たとえば、“２”）を入力するためのボタンの短押操作があると、制御部３４０は、対応する数字に登録されたテレビチャンネルの動画像を、メイン表示部１１０Ａに表示させる。また、同時に、制御部３４０は、対応する数字に登録されたテレビチャンネルの音声を、スピーカ１５２から出力させる。
【０１４９】
次に、自動変更リストＡにテレビチャンネルデータが自動で登録される処理（以下、テレビチャンネル自動登録処理ともいう）について説明する。
【０１５０】
図１４は、テレビチャンネル自動登録処理のフローチャートを示す。図１４を参照して、ステップＳ３１０では、端末装置１０００の位置情報の取得が行なわれる。ここで、位置情報は、基地局位置情報およびＧＰＳ位置情報のいずれであってもよい。詳細な処理は、図８のステップＳ１１０と同様なので詳細な説明は繰り返さない。その後、ステップＳ３１２に進む。
【０１５１】
ステップＳ３１２では、位置情報が記憶されているか否かが判定される。詳細な処理は、図８のステップＳ１１２と同様なので詳細な説明は繰り返さない。ステップＳ３１２において、ＹＥＳならば、後述するステップＳ３１４に進む。一方、ステップＳ３１２において、ＮＯならば、ステップＳ３９０に進む。
【０１５２】
ステップＳ３１２の処理が初めて行なわれるときは、一時記憶部３３２には、位置情報が記憶されていないので、ステップＳ３９０に進む。
【０１５３】
ステップＳ３９０では、制御部３４０が、取得した位置情報を、一時記憶部３３２に記憶させる。詳細な処理は、図８のステップＳ１９０と同様なので詳細な説明は繰り返さない。その後、再度、ステップＳ３１０の処理が行なわれる。
【０１５４】
ステップＳ３１０では、前述した処理が行なわれる。その後、ステップＳ３１１２に進む。
【０１５５】
ステップＳ３１２では、前述した処理が行なわれる。この時点では、一時記憶部３３２に位置情報が記憶されている。したがって、ステップＳ３１２の処理で、ＹＥＳと判定されて、ステップＳ３１４に進む。
【０１５６】
ステップＳ３１４では、受信可能なテレビチャンネルの変更があるか否かが判定される。前述したように、一時記憶部３３２に記憶されている位置情報を、過去位置情報ともいう。また、ステップＳ３１０で取得した位置情報を現在位置情報ともいう。なお、記憶部３３０には、複数種類の地域の情報が予め記憶されている。複数種類の地域の各々では、受信可能なテレビチャンネルが異なる。
【０１５７】
具体的には、制御部３４０が、複数種類の地域の情報を参照して、過去位置情報に基づく端末装置１０００の位置を含む地域と、現在位置情報に基づく端末装置１０００の位置を含む地域とが、異なるか否かを判定する。ステップＳ３１４において、ＹＥＳならば、ステップＳ３１５に進む。一方、ステップＳ３１４において、ＮＯならば、前述のステップＳ３９０に進む。
【０１５８】
ステップＳ３１５では、現在位置情報に対応する、前述したテレビチャンネルデータがあるか否かが判定される。なお、記憶部３３０には、さらに、前述の複数種類の地域の各々に対応づけて、対応する地域で受信可能な複数のテレビチャンネルの情報が記憶される。ここで、テレビチャンネルの情報とは、前述したテレビチャンネルデータである。前述したように、テレビチャンネルデータは、テレビチャンネルの番号と、周波数の情報とを含むデータである。なお、受信可能な複数のテレビチャンネルの情報がない地域もある。この場合、当該地域に対応する複数のテレビチャンネルの情報は、記憶部３３０には記憶されていない。
【０１５９】
具体的には、制御部３４０は、現在位置情報に基づく位置を含む地域に対応する複数のテレビチャンネルデータが、記憶部３３０に記憶されているか否かを判定する。ステップＳ３１５において、ＹＥＳならば、後述するステップＳ３３０に進む。一方、ステップＳ３１５において、ＮＯならば、ステップＳ３２０に進む。
【０１６０】
ステップＳ３２０では、前述のテレビチャンネルのオートスキャンが実行される。この処理により、複数のテレビチャンネルのチャンネル番号の情報および周波数の情報が自動で記憶部３３０に記憶される。すなわち、複数のテレビチャンネルデータが自動で記憶部３３０に記憶される。その後、ステップＳ３２２に進む。
【０１６１】
ステップＳ３２２では、制御部３４０が、ステップＳ３２０により記憶部３３０に記憶された複数のテレビチャンネルデータを使用して、図１１の自動変更リストＡにテレビチャンネルデータを登録する。なお、既に、自動変更リストＡにテレビチャンネルデータが登録されている場合は、制御部３４０が、ステップＳ３２０により記憶部３３０に記憶された複数のテレビチャンネルデータを使用して、自動変更リストＡを変更する。
【０１６２】
その結果、自動変更リストＡのデータは、ステップＳ３２０により記憶部３３０に記憶された複数のテレビチャンネルデータから構成されるデータとなる。その後、ステップＳ３９０に進む。
【０１６３】
前述のステップＳ３１５において、ＹＥＳならば、ステップＳ３３０に進む。ステップＳ３３０では、テレビチャンネル設定処理が実行される。テレビチャンネル設定処理では、制御部３４０が、現在位置情報に基づく位置を含む地域に対応する複数のテレビチャンネルデータを、記憶部３３０から読み出す。その後、ステップＳ３３２に進む。
【０１６４】
ステップＳ３３２では、制御部３４０が、ステップＳ３３０で読み出された複数のテレビチャンネルデータを使用して、図１１の自動変更リストＡにテレビチャンネルデータを登録する。なお、既に、自動変更リストＡにテレビチャンネルデータが登録されている場合は、制御部３４０が、ステップＳ３３０で読み出された複数のテレビチャンネルデータを使用して、図１１の自動変更リストＡを変更する。その結果、自動変更リストＡのデータは、ステップＳ３３０で読み出された複数のテレビチャンネルデータから構成されるデータとなる。その後、ステップＳ３９０に進む。
【０１６５】
以上の処理により、ユーザがわざわざテレビチャンネルを設定する操作をしなくても、端末装置１０００は、自動変更リストＡにテレビチャンネルデータを自動で登録する処理または自動変更リストＡのテレビチャンネルデータを自動で変更する処理を行なう。また、自動変更リストＡのデータは、リスト１Ａのデータおよびリスト２Ａのデータとは別個に設けられたデータである。そのため、ユーザが、たとえば、リスト１Ａのデータを設定した場合でも、リスト１Ａのデータは勝手に変更されることはない。すなわち、再度、リスト１Ａのデータを設定するという無駄な手間は生じない。
【０１６６】
また、端末装置１０００が使用するテレビチャンネルリストが、自動変更リストＡに設定され、端末装置１０００がテレビモードの場合、入力ボタン群２３０の数字を入力するためのボタンの短押操作があるだけで、制御部３４０は、対応する数字に設定されたテレビチャンネルの動画像を、メイン表示部１１０Ａに表示させる。また、同時に、制御部３４０は、対応する数字に設定されたテレビチャンネルの音声を、スピーカ１５２から出力させる。
【０１６７】
以上により、本実施の形態における端末装置１０００は、無駄な手間を生じさせることなく、ユーザが所望するテレビ放送（コンテンツ）を素早く受信することができるという効果を奏する。
【０１６８】
なお、リスト１Ａ、リスト２Ａおよび自動変更リストＡのデータは、前述の図９のリストデータ送信処理により、他のユーザが使用する端末装置に簡単に送信することができる。
【０１６９】
なお、他の端末へテレビチャンネルリストのデータを送信するのは、図９のリストデータ送信処理に限定されることはない。たとえば、テレビチャンネルリストのデータを添付した電子メールを使用することで、他の端末に送信してもよい。また、記録媒体７０にテレビチャンネルリストのデータをコピーして、他の端末で、記録媒体７０に記録されたテレビチャンネルリストのデータを読み出すようにしてもよい。
【０１７０】
なお、他の端末が、前述の図１０のリストデータ送信処理を行なうことが可能であれば、端末装置１０００は、他の端末が送信したテレビチャンネルリストのデータを、前述の図１０のリストデータ受信処理により、受信可能である。なお、他の端末が送信したテレビチャンネルリストのデータは、リスト１Ａ、リスト２Ａおよび自動変更リストＡの少なくとも１つのデータであるとする。
【０１７１】
なお、他の端末からテレビチャンネルリストのデータを受信するのは、上記処理に限定されることはない。たとえば、他の端末がテレビチャンネルリストのデータを添付した電子メールを受信してもよい。また、他の端末が、記録媒体７０にテレビチャンネルリストのデータをコピーして、端末装置１０００で、記録媒体７０に記録されたテレビチャンネルリストのデータを読み出すようにしてもよい。
【０１７２】
以上のリストデータ送信処理およびリストデータ受信処理により、たとえば、自分で作成したお勧めのテレビチャンネルリストのデータを、簡単に、友人等にあげることができる。また、逆に、友人が作成したお勧めのテレビチャンネルリストのデータを、簡単に、もらうこともできる。すなわち、テレビチャンネルリストのデータの交換を簡単に行なうことができる。
【０１７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７４】
【図１】開いた状態の端末装置を正面から示した図である。
【図２】閉じた状態の端末装置の斜視図である。
【図３】閉じた状態の端末装置の背面図である。
【図４】端末装置の内部構成を示したブロック図である。
【図５】複数のラジオ局リストを示す図である。
【図６】端末装置が使用するラジオ局リストを設定する際に、メイン表示部に表示される画像を示す図である。
【図７】端末装置が使用するラジオ局リストを設定する際に、メイン表示部に表示される画像を示す図である。
【図８】ラジオ局自動登録処理のフローチャートを示す。
【図９】リストデータ送信処理のフローチャートである。
【図１０】リストデータ受信処理のフローチャートである。
【図１１】複数のテレビチャンネルリストを示す図である。
【図１２】端末装置が使用するテレビチャンネルリストを設定する際に、メイン表示部に表示される画像を示す図である。
【図１３】端末装置が使用するテレビチャンネルリストを設定する際に、メイン表示部に表示される画像を示す図である。
【図１４】テレビチャンネル自動登録処理のフローチャートを示す。
【符号の説明】
【０１７５】
１１０Ａ  メイン表示部、１１０Ｂ  サブ表示部、１３０Ｂ  ボタン、２６０  マイク、３３０  記憶部、３４０  制御部、１０００  端末装置。
【図１】
2007074076.tif 000003
【図２】
2007074076.tif 000004
【図３】
2007074076.tif 000005
【図４】
2007074076.tif 000006
【図５】
2007074076.tif 000007
【図６】
2007074076.tif 000008
【図７】
2007074076.tif 000009
【図８】
2007074076.tif 000010
【図９】
2007074076.tif 000011
【図１０】
2007074076.tif 000012
【図１１】
2007074076.tif 000013
【図１２】
2007074076.tif 000014
【図１３】
2007074076.tif 000015
【図１４】
2007074076.tif 000016